(57)【要約】【課題】複数の収納体を連動して同一方向に回転することができる収納装置を提供すること。【解決手段】収納装置１００は、上面視において互いに交差するＸ軸及びＹ軸方向に拡がる収納空間を有する複数の収納体１０〜４０、複数の収納体のそれぞれの＋Ｘ方向の＋Ｙ側に位置する第１箇所１１〜４１をＹ軸方向に平行な回転軸に対して回動可能に連結する連結軸５１、複数の収納体のそれぞれの−Ｘ方向の−Ｙ側に位置する第２箇所１２〜４２をＹ軸方向に平行な回転軸に対して回動可能に連結する連結軸５２を備える。連結軸５１，５２により連結された複数の収納体において、連結軸５１に対してそれぞれの第１箇所１１〜４１を回動するとともに、連結軸５２に対してそれぞれの第２箇所１２〜４２を回動することで、複数の収納体をＹ軸方向に並ぶ状態からＺ軸方向に並ぶ状態にそれぞれを連動して回転することができる。【選択図】図１
2019072185.tif 000002
【特許請求の範囲】
【請求項１】
上面視において互いに交差する第１及び第２方向（Ｘ及びＹ）に拡がる収納空間を有する複数の収納体（１０〜４０）と、
前記複数の収納体のそれぞれの前記第１方向（Ｘ）の一側（＋Ｘ）の前記第２方向（Ｙ）の一側（＋Ｙ）に位置する第１箇所（１１〜４１）を前記第２方向に平行な回転軸に対して回動可能に連結する第１連結軸（５１）と、
前記複数の収納体のそれぞれの前記第１方向の他側（−Ｘ）の前記第２方向の他側（−Ｙ）に位置する第２箇所（１２〜４２）を前記第２方向に平行な回転軸に対して回動可能に連結する第２連結軸（５２）と、
を備えることを特徴とする収納装置。
【請求項２】
前記収納空間は、上面視において矩形状に拡がり、
前記第１及び第２箇所は、前記矩形の互いに対向する一対の頂点近傍にそれぞれ配されることを特徴とする、請求項１に記載の収納装置。
【請求項３】
前記複数の収納体のうちの互いに隣接する２つの収納体のそれぞれの前記第１方向の一側（＋Ｘ）の前記第１箇所に対して前記第２方向の他側（−Ｙ）に位置する第３箇所（１３〜４３）を前記第２方向に平行な回転軸に対して回動可能に連結する第３連結軸（５３）をさらに備えることを特徴とする、請求項１又は２に記載の収納装置。
【請求項４】
前記複数の収納体のうちの互いに隣接する２つの収納体のそれぞれの前記第２方向の他側（−Ｙ）の前記第２箇所（１２〜４２）に対して前記第２方向の一側（＋Ｙ）に位置する第４箇所（１４〜４４）を前記第２方向に平行な回転軸に対して回動可能に連結する第４連結軸（５４）をさらに備えることを特徴とする、請求項１〜３のいずれか一項に記載の収納装置。
【請求項５】
前記複数の収納体のうちの前記第１連結軸（５１）の一端側（＋Ｙ）に連結された第１収納体（１０）の前記第１箇所（１１）に設けられた第１軸体（１１ａ）と、
前記複数の収納体のうちの前記第１連結軸（５１）の他端側（−Ｙ）に連結された第２収納体（４０）の前記第１箇所（４１）に設けられた第２軸体（４１ａ）と、
前記第２収納体（４０）の前記第１箇所（４１）より前記第２方向の他側（−Ｙ）に位置する第３箇所（４３）に設けられた第３軸体（４３ａ）と、
前記第１収納体（１０）の前記第２箇所（１２）に設けられた第４軸体（１２ａ）と、
前記第２収納体（４０）の前記第２箇所（４２）に設けられた第５軸体（４２ａ）と、
前記第１収納体（１０）の前記第２箇所（１２）より前記第２方向の一側（＋Ｙ）に位置する第４箇所（１４）に設けられた第６軸体（１４ａ）と、
前記第１〜３軸体（１１ａ，４１ａ，４３ａ）をそれぞれ前記第２方向（Ｙ）に移動可能に係止する第１〜３係止部（６１ａ，６１ｂ，６１ｃ）を有する第１支持部材（６１）と、
前記第４〜６軸体（１２ａ，４２ａ，１４ａ）をそれぞれ前記第２方向に移動可能に係止する第４〜６係止部（６２ａ，６２ｂ，６２ｃ）を有する第２支持部材（６２）と、をさらに備え、
前記第１、第４、第６係止部（６１ａ，６２ａ，６２ｃ）は前記第２方向の一側（＋Ｙ）に延び、
前記第２、第３、第５係止部（６１ｂ，６１ｃ，６２ｂ）は前記第２方向の他側（−Ｙ）に延びていることを特徴とする、請求項１〜４のいずれか一項に記載の収納装置。
【請求項６】
前記複数の収納体のうちの前記第１連結軸（５１）の一端側（＋Ｙ）に連結された第１収納体（１０）の前記第１箇所（１１）又は該第１箇所（１１）より前記第２方向の一側（＋Ｙ）に位置する箇所に設けられた第１軸体（１１ａ）と、
前記複数の収納体のうちの前記第１連結軸（５１）の他端側（−Ｙ）に連結された第２収納体（４０）の前記第１箇所（４１）又は該第１箇所（４１）より前記第２方向の他側（−Ｙ）に位置する箇所に設けられた第２軸体（４１ａ）と、
前記第１収納体（１０）の前記第２箇所（１２）又は該第２箇所（１２）より前記第２方向の他側（−Ｙ）に位置する箇所に設けられた第４軸体（１２ａ）と、
前記第２収納体（４０）の前記第２箇所（４２）又は該第２箇所（４２）より前記第２方向の他側（−Ｙ）に位置する箇所に設けられた第５軸体（４２ａ）と、
前記第１及び第２軸体（１１ａ，４１ａ）をそれぞれ前記第２方向（Ｙ）に移動可能に係止する第１及び第２係止部（６１ａ，６１ｂ）を有する第１支持部材（６１）と、
前記第４及び第５軸体（１２ａ，４２ａ）をそれぞれ前記第２方向に移動可能に係止する第４及び第５係止部（６２ａ，６２ｂ）を有する第２支持部材（６２）と、をさらに備え、
前記第１及び第４係止部（６１ａ，６２ａ）は前記第２方向の一側（＋Ｙ）に延び、
前記第２及び第５係止部（６１ｂ，６２ｂ）は前記第２方向の他側（−Ｙ）に延びていることを特徴とする、請求項１〜４のいずれか一項に記載の収納装置。
【請求項７】
前記第２収納体（４０）の前記第１箇所（４１）より前記第２方向の他側（−Ｙ）に位置する第３箇所（４３）に設けられた第３軸体（４３ａ）と、
前記第１収納体（１０）の前記第２箇所（１２）より前記第２方向の一側（＋Ｙ）に位置する第４箇所（１４）に設けられた第６軸体（１４ａ）と、をさらに備え、
前記第１支持部材（６１）は、前記第３軸体（４３ａ）を前記第２方向（Ｙ）に移動可能に係止する前記第２方向の他側（−Ｙ）に延びる第３係止部（６１ｃ）を有し、
前記第２支持部材（６２）は、前記第６軸体（１４ａ）をそれぞれ前記第２方向に移動可能に係止する前記第２方向の一側（＋Ｙ）に延びる第６係止部（６２ｃ）を有することを特徴とする、請求項６のいずれか一項に記載の収納装置。
【請求項８】
前記第２係止部（６１ｂ）は、前記第１方向の他側（−Ｙ）に向かって下る傾斜を有することを特徴とする、請求項５〜７のいずれか一項に記載の収納装置。
【請求項９】
前記第３係止部（６２ａ）は、前記第１方向の一側（＋Ｙ）に向かって下る傾斜を有することを特徴とする、請求項５〜８のいずれか一項に記載の収納装置。
【発明の詳細な説明】
【技術分野】
【０００１】
本発明は、収納装置に関する。
【背景技術】
【０００２】
住宅内の収納スペースを確保するために、天井下のスペースを利用することが考えられている。例えば特許文献１には、天井開閉板上に吊りベルトで吊持された収納庫を設け、吊りベルトを巻き出す及び巻き戻すことで天井開閉板を開閉し、天井開閉板が開いたときに収納庫（収納体）が上下移動する可動式天井収納装置が開示されている。しかし、水平面に対する収納庫の角度が変動するため、内部の被収納物が移動してしまう可能性がある。また、特許文献２には、天井裏のスペースにケースを設置し、電動の駆動装置により物入箱（収納体）をその向きを維持して天井裏のケースの中に引き込む天井物入箱が開示されている。しかし、物入箱が１つのみであるため、収納容量が小さい。
【先行技術文献】
【特許文献】
【０００３】
【特許文献１】特開平５−１５６７９８号公報
【特許文献２】特開２００７−３０９０６５号公報
【発明の概要】
【発明が解決しようとする課題】
【０００４】
本発明は、複数の収納体を連動して同一方向に回転することができる収納装置を提供することを課題とする。
【課題を解決するための手段】
【０００５】
本発明の収納装置は、上面視において互いに交差する第１及び第２方向（Ｘ及びＹ）に拡がる収納空間を有する複数の収納体（１０〜４０）と、複数の収納体のそれぞれの第１方向（Ｘ）の一側（＋Ｘ）の第２方向（Ｙ）の一側（＋Ｙ）に位置する第１箇所（１１〜４１）を第２方向に平行な回転軸に対して回動可能に連結する第１連結軸（５１）と、複数の収納体のそれぞれの第１方向の他側（−Ｘ）の第２方向の他側（−Ｙ）に位置する第２箇所（１２〜４２）を第２方向に平行な回転軸に対して回動可能に連結する第２連結軸（５２）と、を備えることを特徴とする。
【０００６】
これによれば、第１及び第２連結軸（５１，５２）により連結された複数の収納体（１０〜４０）において、第１連結軸（５１）に対してそれぞれの第１箇所（１１〜４１）を回動するとともに、第２連結軸（５２）に対してそれぞれの第２箇所（１２〜４２）を回動することで、複数の収納体（１０〜４０）を第２方向（Ｙ）に並ぶ状態から第１及び第２方向のそれぞれに直交する方向（Ｚ）に並ぶ状態にそれぞれを連動して回転することができる。
【０００７】
本発明の収納装置は、収納空間は、上面視において矩形状に拡がり、第１及び第２箇所は、矩形の互いに対向する一対の頂点近傍にそれぞれ配されることを特徴とする。
【０００８】
これによれば、第１及び第２連結具により複数の収納体を安定に支持することができる。
【０００９】
本発明の収納装置は、複数の収納体のうちの互いに隣接する２つの収納体のそれぞれの第１方向の一側（＋Ｘ）の第１箇所に対して第２方向の他側（−Ｙ）に位置する第３箇所（１３〜４３）を第２方向に平行な回転軸に対して回動可能に連結する第３連結軸（５３）をさらに備えることを特徴とする。
【００１０】
これによれば、第３連結軸（５３）により、第１及び第２連結軸（５１，５２）により連動して回転する複数の収納体のうちの互いに隣接する２つの収納体を安定に支持することができる。
【００１１】
本発明の収納装置は、複数の収納体のうちの互いに隣接する２つの収納体のそれぞれの第２方向の他側（−Ｙ）の第２箇所（１２〜４２）に対して第２方向の一側（＋Ｙ）に位置する第４箇所（１４〜４４）を第２方向に平行な回転軸に対して回動可能に連結する第４連結軸（５４）をさらに備えることを特徴とする。
【００１２】
これによれば、第４連結軸（５４）により、第１及び第２連結軸（５１，５２）により連動して回転する複数の収納体のうちの互いに隣接する２つの収納体を安定に支持することができる。
【００１３】
本発明の収納装置は、複数の収納体のうちの第１連結軸（５１）の一端側（＋Ｙ）に連結された第１収納体（１０）の第１箇所（１１）に設けられた第１軸体（１１ａ）と、複数の収納体のうちの第１連結軸（５１）の他端側（−Ｙ）に連結された第２収納体（４０）の第１箇所（４１）に設けられた第２軸体（４１ａ）と、第２収納体（４０）の第１箇所（４１）より第２方向の他側（−Ｙ）に位置する第３箇所（４３）に設けられた第３軸体（４３ａ）と、第１収納体（１０）の第２箇所（１２）に設けられた第４軸体（１２ａ）と、第２収納体（４０）の第２箇所（４２）に設けられた第５軸体（４２ａ）と、第１収納体（１０）の第２箇所（１２）より第２方向の一側（＋Ｙ）に位置する第４箇所（１４）に設けられた第６軸体（１４ａ）と、第１〜３軸体（１１ａ，４１ａ，４３ａ）をそれぞれ第２方向（Ｙ）に移動可能に係止する第１〜３係止部（６１ａ，６１ｂ，６１ｃ）を有する第１支持部材（６１）と、第４〜６軸体（１２ａ，４２ａ，１４ａ）をそれぞれ第２方向に移動可能に係止する第４〜６係止部（６２ａ，６２ｂ，６２ｃ）を有する第２支持部材（６２）と、をさらに備え、第１、第４、第６係止部（６１ａ，６２ａ，６２ｃ）は第２方向の一側（＋Ｙ）に延び、第２、第３、第５係止部（６１ｂ，６１ｃ，６２ｂ）は第２方向の他側（−Ｙ）に延びていることを特徴とする。
【００１４】
これによれば、第１収納部（１０）を第２方向の一側（＋Ｙ）に移動することで、第１支持部材（６１）の第１係止部（６１ａ）及び第２支持部材（６２）の第４及び第６係止部（６２ａ，６２ｃ）からそれぞれ第１、第４、及び第６軸体（１１ａ，１２ａ，１４ａ）を外すことで第１及び第２支持部材（６１，６２）から第１収納体（１０）を外し、第１及び第２支持部材（６１，６２）に支持されている第２収納体（４０）に対して第１収納体（１０）を含むその他の収納体（１０，２０，３０）を回転することができ、第２収納部（４０）を第２方向の他側（−Ｙ）に移動することで、第１支持部材（６１）の第２及び第３係止部（６１ｂ，６１ｃ）及び第２支持部材（６２）の第５係止部（６２ｂ）からそれぞれ第２、第３、及び第５軸体（４１ａ，４３ａ，４２ａ）を外すことで第１及び第２支持部材（６１，６２）から第２収納体（４０）を外し、第１及び第２支持部材（６１，６２）に支持されている第１収納体（１０）に対して第２収納体（４０）を含むその他の収納体（２０，３０，４０）を回転することができる。
【００１５】
本発明の収納装置は、複数の収納体のうちの第１連結軸（５１）の一端側（＋Ｙ）に連結された第１収納体（１０）の第１箇所（１１）又は第１箇所（１１）より第２方向の一側（＋Ｙ）に位置する箇所に設けられた第１軸体（１１ａ）と、複数の収納体のうちの第１連結軸（５１）の他端側（−Ｙ）に連結された第２収納体（４０）の第１箇所（４１）又は第１箇所（４１）より第２方向の他側（−Ｙ）に位置する箇所に設けられた第２軸体（４１ａ）と、第１収納体（１０）の第２箇所（１２）又は第２箇所（１２）より第２方向の他側（−Ｙ）に位置する箇所に設けられた第４軸体（１２ａ）と、第２収納体（４０）の第２箇所（４２）又は第２箇所（４２）より第２方向の他側（−Ｙ）に位置する箇所に設けられた第５軸体（４２ａ）と、第１及び第２軸体（１１ａ，４１ａ）をそれぞれ第２方向（Ｙ）に移動可能に係止する第１及び第２係止部（６１ａ，６１ｂ）を有する第１支持部材（６１）と、第４及び第５軸体（１２ａ，４２ａ）をそれぞれ第２方向に移動可能に係止する第４及び第５係止部（６２ａ，６２ｂ）を有する第２支持部材（６２）と、をさらに備え、第１及び第４係止部（６１ａ，６２ａ）は第２方向の一側（＋Ｙ）に延び、第２及び第５係止部（６１ｂ，６２ｂ）は第２方向の他側（−Ｙ）に延びていることを特徴とする。
【００１６】
これによれば、第１収納部（１０）を第２方向の一側（＋Ｙ）に移動することで、第１支持部材（６１）の第１係止部（６１ａ）及び第２支持部材（６２）の第４係止部（６２ａ）からそれぞれ第１及び第４軸体（１１ａ，１２ａ）を外すことで第１及び第２支持部材（６１，６２）から第１収納体（１０）を外し、第１及び第２支持部材（６１，６２）に支持されている第２収納体（４０）に対して第１収納体（１０）を含むその他の収納体（１０，２０，３０）を回転することができ、第２収納部（４０）を第２方向の他側（−Ｙ）に移動することで、第１支持部材（６１）の第２係止部（６１ｂ）及び第２支持部材（６２）の第５係止部（６２ｂ）からそれぞれ第２及び第５軸体（４１ａ，４２ａ）を外すことで第１及び第２支持部材（６１，６２）から第２収納体（４０）を外し、第１及び第２支持部材（６１，６２）に支持されている第１収納体（１０）に対して第２収納体（４０）を含むその他の収納体（２０，３０，４０）を回転することができる。
【００１７】
本発明の収納装置は、第２収納体（４０）の第１箇所（４１）より第２方向の他側（−Ｙ）に位置する第３箇所（４３）に設けられた第３軸体（４３ａ）と、第１収納体（１０）の第２箇所（１２）より第２方向の一側（＋Ｙ）に位置する第４箇所（１４）に設けられた第６軸体（１４ａ）と、をさらに備え、第１支持部材（６１）は、第３軸体（４３ａ）を第２方向（Ｙ）に移動可能に係止する第２方向の他側（−Ｙ）に延びる第３係止部（６１ｃ）を有し、第２支持部材（６２）は、第６軸体（１４ａ）をそれぞれ第２方向に移動可能に係止する第２方向の一側（＋Ｙ）に延びる第６係止部（６２ｃ）を有することを特徴とする。
【００１８】
これによれば、第１支持部材（６１）の第１係止部（６１ａ）及び第２支持部材（６２）の第４及び第６係止部（６２ａ，６２ｃ）により第１、第４、及び第６軸体（１１ａ，１２ａ，１４ａ）を係止することで第１及び第２支持部材（６１，６２）により第１収納体（１０）を安定に支持することができ、第１支持部材（６１）の第２及び第３係止部（６１ｂ，６１ｃ）及び第２支持部材（６２）の第５係止部（６２ｂ）により第２、第３、及び第５軸体（４１ａ，４３ａ，４２ａ）を係止することで第１及び第２支持部材（６１，６２）により第２収納体（４０）を安定に支持することができる。
【００１９】
本発明の収納装置は、第２係止部（６１ｂ）は、第１方向の他側（−Ｙ）に向かって下る傾斜を有することを特徴とする。
【００２０】
これによれば、第１収納体（１０）が第１方向の一側（＋Ｙ）に引かれた際に、ともに第２収納体（４０）が第１方向の一側（＋Ｙ）に引かれて第２軸体（４１ａ）を係止する第２係止部（６１ｂ）の傾斜により第２収納体（４０）の一側（＋Ｙ）が上方に傾く。それにより、第２収納体（４０）が第１及び第２支持部材（６１，６２）に支持されて、第２収納体（４０）に対して第１収納体（１０）を含むその他の収納体（１０，２０，３０）が一側（＋Ｙ）の下方に向かって回転した際に、それぞれの収納体の一側（＋Ｙ）が下方に傾くのを防止できる。
【００２１】
本発明の収納装置は、第３係止部（６２ａ）は、第１方向の一側（＋Ｙ）に向かって下る傾斜を有することを特徴とする。
【００２２】
これによれば、第２収納体（４０）が第１方向の他側（−Ｙ）に引かれた際に、ともに第１収納体（１０）が第１方向の他側（−Ｙ）に引かれて第３軸体（１２ａ）を係止する第３係止部（６２ａ）の傾斜により第１収納体（１０）の他側（−Ｙ）が上方に傾く。それにより、第１収納体（１０）が第１及び第２支持部材（６１，６２）に支持されて、第１収納体（１０）に対して第２収納体（４０）を含むその他の収納体（２０，３０，４０）が他側（−Ｙ）の下方に向かって回転した際に、それぞれの収納体の他側（−Ｙ）が下方に傾くのを防止できる。
【発明の効果】
【００２３】
本発明によれば、複数の収納体を連動して同一方向に回転することができる収納装置を提供することが可能となる。
【図面の簡単な説明】
【００２４】
【図１】図１は、本実施形態に係る収納装置の構成を示す斜視図である。
【図２】図２は、本実施形態に係る収納装置の構成を示す分解斜視図である。
【図３】図３は、収納庫が支持部材に支持された収納状態を示す。
【図４】図４は、支持部材の係止部と収納箱の軸体の位置関係を示す図である。
【図５】図５は、一側の収納箱を支持部材から外した状態を示す図である。
【図６】図６は、一側の収納箱を支持部材から外した状態を示す斜視図である。
【図７】図７は、一側の収納箱を降ろした状態を示す斜視図である。
【図８】図８は、他側の収納箱を支持部材から外した状態を示す図である。
【図９】図９は、他側の収納箱を支持部材から外した状態を示す図である。
【図１０】図１０は、他側の収納箱を降ろした状態を示す図である。
【図１１】図１１は、変形例に係る収納装置の構成を示す斜視図である。
【発明を実施するための形態】
【００２５】
以下、本発明の一実施形態について説明する。
【００２６】
図１及び図２は、それぞれ、本実施形態に係る収納装置１００の全体構成及び構成各部を示す。収納装置１００は、複数の収納体を連動して回転することができる装置であり、複数の収納体１０〜４０、連結軸５１，５２、軸体７１〜７８、及び支持部材６１，６２を備える。
【００２７】
複数の収納体１０〜４０は、一例として４つの収納体を含み、荷物等を収納することのできる収納空間を有する箱体である。収納空間は、上面視において互いに交差するＸ軸方向及びＹ軸方向に拡がる。収納体１０〜４０の＋Ｘ側面の＋Ｙ側に位置する第１箇所１１〜４１にそれぞれ円形状の開口が形成され、＋Ｙ側面の内側にそれらの開口に内部空間を連ねる角筒１５〜４５が設けられている。同様に、収納体１０〜４０の−Ｘ側面の−Ｙ側に位置する第２箇所１２〜４２にそれぞれ円形状の開口が形成され、−Ｙ側面の内側にそれらの開口に内部空間を連ねる角筒（不図示）が設けられている。さらに、収納体１０の−Ｘ側面の＋Ｙ側に位置する第４箇所１４に角筒１５の内部に連なる円形状の開口が形成され、収納体４０の＋Ｘ側面の−Ｙ側に位置する第３箇所４３に角筒（不図示）の内部に連なる円形状の開口が形成されている。
【００２８】
本実施形態では、収納空間は、上面視において矩形状に拡がり、第１及び第２箇所１１〜４１，１２〜４２は矩形の互いに対向する一対の頂点近傍にそれぞれ配されることとする。それにより、後述する連結軸５１，５２により複数の収納体１０〜４０を安定に支持することができる。なお、収納空間の上面視形状は矩形状に限られるものではなく、円形、楕円形、多角形等、Ｘ軸方向の一側及び他側が対称な形状であれば任意の形状であってよい。
【００２９】
連結軸５１，５２は、後述する軸体７１〜７８により、それぞれ収納体１０〜４０の第１箇所１１〜４１及び第２箇所１２〜４２をＹ軸方向に平行な回転軸に対して回動可能に連結する部材であり、一軸方向を長手とする矩形板状の部材である。
【００３０】
軸体７１〜７８は、連結軸５１，５２に接続され、収納体１０〜４０を連結軸５１，５２に回動可能に固定する棒状部材である。
【００３１】
軸体７１は、＋Ｘ端を連結軸５１の＋Ｚ端近傍に貫通して固定される。ここで、連結軸５１から＋Ｘ側に突出する軸体７１の＋Ｘ端を軸体１１ａとする。軸体７１は、−Ｘ端を順に座金７１ａ、収納体１０の＋Ｘ側面の第１箇所１１の開口、及び角筒１５の内部を通して、収納体１０の−Ｘ側面の第４箇所１４の開口を介して−Ｘ側に突出する。ここで、−Ｘ側面の−Ｘ側に突出する軸体７１の−Ｘ端を軸体１４ａとする。それにより、収納体１０はその第１箇所１１にて連結軸５１の＋Ｚ端側に連結され、軸体１１ａは収納体１０の第１箇所１１に設けられ、軸体１４ａは収納体１０の第２箇所１２より＋Ｙ側に位置する第４箇所１４に設けられたこととなる。
【００３２】
軸体７２は、−Ｘ端を連結軸５２の＋Ｚ端近傍に貫通して固定される。ここで、連結軸５２から−Ｘ側に突出する軸体７２の−Ｘ端を軸体１２ａとする。軸体７２は、＋Ｘ端を順に座金７２ａ及び収納体１０の−Ｘ側面の第２箇所１２の開口を通して角筒（不図示）内に挿入される。それにより、収納体１０はその第２箇所１２にて連結軸５２の＋Ｚ端側に連結され、軸体１２ａは収納体１０の第２箇所１２に設けられたこととなる。
【００３３】
軸体７３，７５は、それぞれ、＋Ｘ端を連結軸５１の中央から＋Ｚ側及び−Ｚ側に固定される。軸体７３，７５は、それぞれ、−Ｘ端を順に座金７３ａ，７５ａ、収納体２０，３０の＋Ｘ側面の第１箇所２１，３１の開口を通して、角筒２５，３５内に挿入される。それにより、収納体２０，３０はそれらの第１箇所２１，３１にて連結軸５１に連結される。
【００３４】
軸体７４，７６は、それぞれ、−Ｘ端を連結軸５２の中央から＋Ｚ側及び−Ｚ側に固定される。軸体７４，７６は、それぞれ、＋Ｘ端を順に座金７４ａ，７６ａ及び収納体２０，３０の−Ｘ側面の第２箇所２２，３２の開口を通して角筒（不図示）内に挿入される。それにより、収納体２０，３０はそれらの第２箇所２２，３２にて連結軸５２に連結される。
【００３５】
軸体７７は、＋Ｘ端を連結軸５１の−Ｚ端近傍に貫通して固定される。ここで、連結軸５１から＋Ｘ側に突出する軸体７７の＋Ｘ端を軸体４１ａとする。軸体７１は、−Ｘ端を順に座金７７ａ及び収納体４０の＋Ｘ側面の第１箇所４１の開口を通して、角筒４５内に挿入される。それにより、収納体４０はその第１箇所４１にて連結軸５１の−Ｚ端側に連結され、軸体４１ａは収納体４０の第１箇所４１に設けられたこととなる。
【００３６】
軸体７８は、−Ｘ端を連結軸５２の−Ｚ端近傍に貫通して固定される。ここで、連結軸５２から−Ｘ側に突出する軸体７８の−Ｘ端を軸体４２ａとする。軸体７８は、＋Ｘ端を順に座金７８ａ、収納体４０の−Ｘ側面の第２箇所４２の開口、及び角筒（不図示）の内部を通して、収納体４０の＋Ｘ側面の第３箇所４３の開口を介して＋Ｘ側に突出する。ここで、＋Ｘ側面の＋Ｘ側に突出する軸体７８の＋Ｘ端を軸体４３ａとする。それにより、収納体４０はその第２箇所４２にて連結軸５２の−Ｚ端側に連結され、軸体４２ａは収納体４０の第２箇所４２に設けられたこととなり、軸体４３ａは収納体４０の第１箇所４１より−Ｙ側に位置する第３箇所４３に設けられたこととなる。
【００３７】
支持部材６１，６２は、例えば屋内の対向する壁面上部の間に架設されて（図４参照）、複数の収納体１０〜４０を支持する棒状部材である。図３に示すように、収納状態において収納体１０〜４０は支持部材６１，６２により天井下に支持される。
【００３８】
図４に、図３の収納状態において支持部材６１，６２の係止部６１ａ，６１ｂ，６１ｃ，６２ａ，６２ｂ，６２ｃと収納体１０〜４０の軸体１１ａ，１２ａ，１４ａ，４１ａ，４２ａ，４３ａの位置関係を示す。
【００３９】
図４（Ｂ）に示すように、支持部材６１は、軸体１１ａ，４１ａ，４３ａをそれぞれＹ軸方向に移動可能に係止する係止部６１ａ，６１ｂ，６１ｃを有する。係止部６１ａは、支持部材６１の＋Ｙ端部近傍の下端から＋Ｙ方向に延びる。係止部６１ｂ，６１ｃは、それぞれ支持部材６１の中央から−Ｙ側寄り及び−Ｙ端部近傍の下端から−Ｙ方向に延びる。なお、係止部６１ａ，６１ｃの先端には、軸体１１ａ，４３ａを係止する＋Ｚ方向に突出する爪片が形成されている。係止部６１ｂ，６１ｃの離間距離は軸体４１ａ，４３ａの離間距離に等しく、係止部６１ａの先端と係止部６１ｃの先端との離間距離は軸体１１ａ，４３ａの離間距離より長い、ただし係止部６１ａの先端と係止部６１ｃの基端の左端との離間距離及び係止部６１ａの基端の右端と係止部６１ｃの先端との離間距離は軸体１１ａ，４３ａの離間距離より短い。
【００４０】
図４（Ａ）に示すように、支持部材６２は、軸体１２ａ，４２ａ，１４ａをそれぞれＹ軸方向に移動可能に係止する係止部６２ａ，６２ｂ，６２ｃを有する。係止部６２ａ，６２ｃは、それぞれ支持部材６２の中央から＋Ｙ側寄り及び＋Ｙ端部近傍の下端から＋Ｙ方向に延びる。係止部６２ｂは、支持部材６２の−Ｙ端部近傍から−Ｙ方向に延びる。なお、係止部６２ｂ，６２ｃの先端には、軸体４２ａ，１４ａを係止する＋Ｚ方向に突出する爪片が形成されている。係止部６２ａ，６２ｃの離間距離は軸体１２ａ，１４ａの離間距離に等しく、係止部６２ｂの先端と係止部６２ｃの先端との離間距離は軸体１４ａ，４２ａの離間距離より長い、ただし係止部６２ｂの先端と係止部６２ｃの基端の右端との離間距離及び係止部６２ｂの基端の左端と係止部６２ｃの先端との離間距離は軸体１４ａ，４２ａの離間距離より短い。
【００４１】
上述の支持部材６１，６２の係止部６１ａ，６１ｂ，６１ｃ，６２ａ，６２ｂ，６２ｃと収納体１０〜４０の軸体１１ａ，１２ａ，１４ａ，４１ａ，４２ａ，４３ａの位置関係により、図５（Ａ）及び（Ｂ）並びに図６に示すように、収納体１０を＋Ｙ方向に移動することで、支持部材６１の係止部６１ａ及び支持部材６２の係止部６２ａ，６２ｃからそれぞれ軸体１１ａ，１２ａ，１４ａを外して支持部材６１，６２から収納体１０を外し、支持部材６１，６２に支持されている収納体４０に対して収納体１０を含むその他の収納体１０，２０，３０を白抜き矢印の方向に回転することができる。そして、図７に示すように、収納体１０を下方に降ろして、収納体１０〜４０を高さ方向に並べることができる。このとき、支持部材６１の係止部６１ｂ，６１ｃ及び支持部材６２の係止部６２ｂにより軸体４１ａ，４３ａ，４２ａを係止することで支持部材６１，６２により収納体４０及び連結軸５１，５２により収納体４０に連結する収納体１０〜３０を安定に支持することができる。
【００４２】
なお、支持部材６１の係止部６１ｂは、−Ｙ方向に向かって下る傾斜を有する。それにより、収納体１０が＋Ｙ方向に引かれた際に、ともに収納体４０が＋Ｙ方向に引かれて軸体４１ａを係止する係止部６１ｂの傾斜により収納体４０の＋Ｙ側が上方に傾く。従って、収納体４０が支持部材６１，６２に支持されて、収納体４０に対して収納体１０を含むその他の収納体１０，２０，３０が＋Ｙ側の下方に向かって回転した際に、それぞれの収納体の＋Ｙ側が下方に傾くのを防止することができる。
【００４３】
また、図８（Ａ）及び（Ｂ）並びに図９に示すように、収納体４０を−Ｙ方向に移動することで、支持部材６１の係止部６１ｂ，６１ｃ及び支持部材６２の係止部６２ｂからそれぞれ軸体４１ａ，４３ａ，４２ａを外して支持部材６１，６２から収納体４０を外し、支持部材６１，６２に支持されている収納体１０に対して収納体４０を含むその他の収納体２０，３０，４０を白抜き矢印の方向に回転することができる。そして、図１０に示すように、収納体４０を下方に降ろして、収納体１０〜４０を高さ方向に並べることができる。このとき、支持部材６１の係止部６１ａ及び支持部材６２の係止部６２ａ，６２ｃにより軸体１１ａ，１２ａ，１４ａを係止することで支持部材６１，６２により収納体１０及び連結軸５１，５２により収納体１０に連結する収納体２０〜４０を安定に支持することができる。
【００４４】
なお、支持部材６２の係止部６２ａは、＋Ｙ方向に向かって下る傾斜を有する。それにより、収納体４０が−Ｙ方向に引かれた際に、ともに収納体１０が−Ｙ方向に引かれて軸体１２ａを係止する係止部６２ａの傾斜により収納体１０の−Ｙ側が上方に傾く。従って、収納体１０が支持部材６１，６２に支持されて、収納体１０に対して収納体４０を含むその他の収納体２０，３０，４０が−Ｙ側の下方に向かって回転した際に、それぞれの収納体の−Ｙ側が下方に傾くのを防止することができる。
【００４５】
なお、収納体１０〜４０を天井下に収納する場合には、上述の手順を逆順で行えばよい。
【００４６】
以上詳細に説明したように、本実施形態に係る収納装置１００は、上面視において互いに交差するＸ軸及びＹ軸方向に拡がる収納空間を有する複数の収納体１０〜４０、複数の収納体１０〜４０のそれぞれの＋Ｘ方向の＋Ｙ側に位置する第１箇所１１〜４１をＹ軸方向に平行な回転軸に対して回動可能に連結する連結軸５１、複数の収納体１０〜４０のそれぞれの−Ｘ方向の−Ｙ側に位置する第２箇所１２〜４２をＹ軸方向に平行な回転軸に対して回動可能に連結する連結軸５２を備える。連結軸５１，５２により連結された複数の収納体１０〜４０において、連結軸５１に対してそれぞれの第１箇所１１〜４１を回動するとともに、連結軸５２に対してそれぞれの第２箇所１２〜４２を回動することで、複数の収納体１０〜４０をＹ軸方向に並ぶ状態からＺ軸方向に並ぶ状態にそれぞれを連動して回転することができる。
【００４７】
なお、本実施形態に係る収納装置１００では、２つの連結軸５１，５２を用いて複数の収納体１０〜４０を連結することとしたが、さらに１以上の連結軸を用いて複数の収納体１０〜４０を連結してもよい。
【００４８】
図１１に、変形例に係る収納装置２００の構成を示す。収納装置２００は、複数の収納体１１０〜１４０、軸体１１ａ，１２ａ，１４ａ，４１ａ，４２ａ，４３ａ、連結軸５１〜５４、及び支持部材６１，６２を備える。これらのうち、連結軸５１，５２及び支持部材６１，６２は先述の収納装置１００におけるそれらと同様に構成されている。
【００４９】
複数の収納体１１０〜１４０は、先述の収納装置１００における収納体１０〜４０に固定片１７，２７，３７，２８，３８，４８が設けられたものである。ただし、角筒１５〜４５を除く。固定片１７，２７，３７，２８，３８，４８は上面視においてＬ字状に屈曲する板片である。固定片１７，２７，３７は、それぞれ、収納体１１０，１２０，１３０の−Ｘ側面と平行に−Ｘ及び＋Ｙ角部に固定されている。固定片１７，２７，３７の先端にそれぞれ第２箇所１２，２２，３２が位置する。固定片２８，３８，４８は、それぞれ、収納体１２０，１３０，１４０の＋Ｘ側面と平行に＋Ｘ及び−Ｙ角部に固定されている。固定片２８，３８，４８の先端にそれぞれ第１箇所２１，３１，４１が位置する。
【００５０】
軸体１１ａ，１２ａ，１４ａ，４１ａ，４２ａ，４３ａは、支持部材６１，６２に収納体１１０及び１４０を支持するための部材である。軸体１１ａ，１２ａ，１４ａは、それぞれ、収納体１１０の第１箇所１１、第２箇所１２、第４箇所１４に固定されている。ここで、軸体１１ａ，１２ａは、それぞれ、収納体１１０の＋Ｘ側面及び固定片１７に固定されている。軸体１４ａは収納体１１０の−Ｘ側面に固定片１７を介して−Ｘ側に先端を突出して固定されている。軸体４１ａ，４２ａ，４３ａは、それぞれ、収納体１４０の第１箇所４１、第２箇所４２、第３箇所４３に固定されている。ここで、軸体４１ａ，４２ａは、それぞれ、固定片４８及び収納体１４０の−Ｘ側面に固定されている。軸体４３ａは収納体１４０の＋Ｘ側面に固定片４８を介して＋Ｘ側に先端を突出して固定されている。
【００５１】
連結軸５１，５２は、不図示の軸体とともにそれぞれ軸体１１ａ，４１ａ及び１２ａ，４２ａにより、それぞれ収納体１０〜４０の第１箇所１１〜４１及び第２箇所１２〜４２をＹ軸方向に平行な回転軸に対して回動可能に連結する。
【００５２】
連結軸５３，５４は、収納体１１０〜１４０のうちの互いに隣接する２つの収納体のそれぞれの第３箇所１３〜４３及び第４箇所１４〜４４をＹ軸方向に平行な回転軸に対して回動可能に連結する部材であり、先端に段部が設けられた一軸方向を長手とする矩形板状の部材である。それらの先端には、収納体１１０〜１３０の第３箇所１３〜３３及び収納体１２０〜１４０の第４箇所２４〜４４に回動可能に連結するための軸体（不図示）が固定されている。それらの基端には、収納体１１０〜１４０の第３箇所１３〜４３及び収納体１１０〜１４０の第４箇所１４〜４４に設けられた軸体（軸体１４ａ，４３ａ及び不図示の軸体）を通すための開口が形成されている。
【００５３】
１つの連結軸５３は、基端の開口（不図示）を収納体１２０の第３箇所２３に設けられた軸体（不図示）に通して、＋Ｘ側面と固定片２８の間で回動可能に固定され、先端の段部に固定された軸体（不図示）を収納体１１０の第３箇所１３に回動可能に固定されている。２つの連結軸５３は、それぞれ、基端の開口（不図示）を収納体１３０，１４０の第３箇所３３，４３に設けられた軸体（不図示）に通して、＋Ｘ側面と固定片３８，４８の間で回動可能に固定され、先端の段部に固定された軸体（不図示）を収納体１２０，１３０の固定片２８，３８の第３箇所２３，３３に回動可能に固定されている。
【００５４】
１つの連結軸５４は、基端の開口（不図示）を収納体１３０の第４箇所３４に設けられた軸体（不図示）に通して、−Ｘ側面と固定片３７の間で回動可能に固定され、先端の段部に固定された軸体（不図示）を収納体１４０の第４箇所４４に回動可能に固定されている。２つの連結軸５４は、それぞれ、基端の開口（不図示）を収納体１１０，１２０の第４箇所１４，２４に設けられた軸体（不図示）に通して、−Ｘ側面と固定片１７，２７の間で回動可能に固定され、先端の段部に固定された軸体（不図示）を収納体１２０，１３０の固定片２７，３７の第４箇所２４，３４に回動可能に固定されている。
【００５５】
上述の構成における連結軸５３，５４により、第１及び第２連結軸５１，５２により連動して回転する複数の収納体１１０〜１４０のうちの互いに隣接する２つの収納体をそれぞれ連結して、収納体１１０〜１４０をさらに安定に支持することができる。
【００５６】
なお、本実施形態に係る収納装置１００では、複数の収納体１０〜４０の第１及び第２箇所１１〜４１，１２〜４２はそれぞれ＋Ｘ側面の＋Ｙ側及び−Ｘ側面の−Ｙ側に位置することとしたが、これに限らず、＋Ｘ側面の−Ｙ側及び−Ｘ側面の＋Ｙ側に位置することとしてもよい。これとともに、連結軸５１は、複数の収納体１０〜４０のそれぞれの＋Ｘ側面の−Ｙ側に位置する箇所を回動可能に連結し、連結軸５２は、複数の収納体１０〜４０のそれぞれの−Ｘ側面の＋Ｙ側に位置する箇所を回動可能に連結することとしてもよい。
【産業上の利用可能性】
【００５７】
複数の収納体を連動して同一方向に回転することができる収納装置である。多くの家庭及び建設会社による利用が考えられる。
【符号の説明】
【００５８】
１０    収納体
１１    第１箇所
１１ａ  軸体
１２    第２箇所
１２ａ  軸体
１３    第３箇所
１４    第４箇所
１４ａ  軸体
１５    角筒
１７    固定片
２０    収納体
２１    第１箇所
２２    第２箇所
２３    第３箇所
２４    第４箇所
２５    角筒
２７    固定片
２８    固定片
３０    収納体
３１    第１箇所
３２    第２箇所
３３    第３箇所
３４    第４箇所
３５    角筒
３７    固定片
３８    固定片
４０    収納体
４１    第１箇所
４１ａ  軸体
４２    第２箇所
４２ａ  軸体
４３    第３箇所
４３ａ  軸体
４４    第４箇所
４５    角筒
４８    固定片
５１    連結軸
５２    連結軸
５３    連結軸
５４    連結軸
６１    支持部材
６１ａ  係止部
６１ｂ  係止部
６１ｃ  係止部
６２    支持部材
６２ａ  係止部
６２ｂ  係止部
６２ｃ  係止部
７１    軸体
７１ａ  座金
７２    軸体
７２ａ  座金
７３    軸体
７３ａ  座金
７４    軸体
７４ａ  座金
７５    軸体
７５ａ  座金
７６    軸体
７６ａ  座金
７７    軸体
７７ａ  座金
７８    軸体
７８ａ  座金
１００  収納装置
１１０  収納体
１２０  収納体
１３０  収納体
１４０  収納体
２００  収納装置
【図１】
2019072185.tif 000003
【図２】
2019072185.tif 000004
【図３】
2019072185.tif 000005
【図４】
2019072185.tif 000006
【図５】
2019072185.tif 000007
【図６】
2019072185.tif 000008
【図７】
2019072185.tif 000009
【図８】
2019072185.tif 000010
【図９】
2019072185.tif 000011
【図１０】
2019072185.tif 000012
【図１１】
2019072185.tif 000013
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
上面視において互いに交差する第１及び第２方向（Ｘ及びＹ）に拡がる収納空間を有する複数の収納体（１０，２０，３０，４０）と、
前記複数の収納体のそれぞれの前記第１方向（Ｘ）の一側（＋Ｘ）の前記第２方向（Ｙ）の一側（＋Ｙ）に位置する第１箇所（１１，２１，３１，４１）を前記第２方向に平行な回転軸に対して回動可能に連結する第１連結軸（５１）と、
前記複数の収納体のそれぞれの前記第１方向の他側（−Ｘ）の前記第２方向の他側（−Ｙ）に位置する第２箇所（１２，２２，３２，４２）を前記第２方向に平行な回転軸に対して回動可能に連結する第２連結軸（５２）と、
を備え、
前記複数の収納体のうちの前記第１連結軸（５１）の一端側（＋Ｙ）に連結された第１収納体（１０）の前記第１箇所（１１）に設けられた第１軸体（１１ａ）と、
前記複数の収納体のうちの前記第１連結軸（５１）の他端側（−Ｙ）に連結された第２収納体（４０）の前記第１箇所（４１）に設けられた第２軸体（４１ａ）と、
前記第２収納体（４０）の前記第１箇所（４１）より前記第２方向の他側（−Ｙ）に位置する第３箇所（４３）に設けられた第３軸体（４３ａ）と、
前記第１収納体（１０）の前記第２箇所（１２）に設けられた第４軸体（１２ａ）と、
前記第２収納体（４０）の前記第２箇所（４２）に設けられた第５軸体（４２ａ）と、
前記第１収納体（１０）の前記第２箇所（１２）より前記第２方向の一側（＋Ｙ）に位置する第４箇所（１４）に設けられた第６軸体（１４ａ）と、
前記第１〜３軸体（１１ａ，４１ａ，４３ａ）をそれぞれ前記第２方向（Ｙ）に移動可能に係止する第１〜３係止部（６１ａ，６１ｂ，６１ｃ）を有する第１支持部材（６１）と、
前記第４〜６軸体（１２ａ，４２ａ，１４ａ）をそれぞれ前記第２方向に移動可能に係止する第４〜６係止部（６２ａ，６２ｂ，６２ｃ）を有する第２支持部材（６２）と、をさらに備え、
前記第１、第４、第６係止部（６１ａ，６２ａ，６２ｃ）は前記第２方向の一側（＋Ｙ）に延び、
前記第２、第３、第５係止部（６１ｂ，６１ｃ，６２ｂ）は前記第２方向の他側（−Ｙ）に延びていることを特徴とする、収納装置。
ることを特徴とする収納装置。
【請求項２】
上面視において互いに交差する第１及び第２方向（Ｘ及びＹ）に拡がる収納空間を有する複数の収納体（１０，２０，３０，４０）と、
前記複数の収納体のそれぞれの前記第１方向（Ｘ）の一側（＋Ｘ）の前記第２方向（Ｙ）の一側（＋Ｙ）に位置する第１箇所（１１，２１，３１，４１）を前記第２方向に平行な回転軸に対して回動可能に連結する第１連結軸（５１）と、
前記複数の収納体のそれぞれの前記第１方向の他側（−Ｘ）の前記第２方向の他側（−Ｙ）に位置する第２箇所（１２，２２，３２，４２）を前記第２方向に平行な回転軸に対して回動可能に連結する第２連結軸（５２）と、
を備え、
前記複数の収納体のうちの前記第１連結軸（５１）の一端側（＋Ｙ）に連結された第１収納体（１０）の前記第１箇所（１１）又は該第１箇所（１１）より前記第２方向の一側（＋Ｙ）に位置する箇所に設けられた第１軸体（１１ａ）と、
前記複数の収納体のうちの前記第１連結軸（５１）の他端側（−Ｙ）に連結された第２収納体（４０）の前記第１箇所（４１）又は該第１箇所（４１）より前記第２方向の他側（−Ｙ）に位置する箇所に設けられた第２軸体（４１ａ）と、
前記第１収納体（１０）の前記第２箇所（１２）又は該第２箇所（１２）より前記第２方向の他側（−Ｙ）に位置する箇所に設けられた第４軸体（１２ａ）と、
前記第２収納体（４０）の前記第２箇所（４２）又は該第２箇所（４２）より前記第２方向の他側（−Ｙ）に位置する箇所に設けられた第５軸体（４２ａ）と、
前記第１及び第２軸体（１１ａ，４１ａ）をそれぞれ前記第２方向（Ｙ）に移動可能に係止する第１及び第２係止部（６１ａ，６１ｂ）を有する第１支持部材（６１）と、
前記第４及び第５軸体（１２ａ，４２ａ）をそれぞれ前記第２方向に移動可能に係止する第４及び第５係止部（６２ａ，６２ｂ）を有する第２支持部材（６２）と、をさらに備え、
前記第１及び第４係止部（６１ａ，６２ａ）は前記第２方向の一側（＋Ｙ）に延び、
前記第２及び第５係止部（６１ｂ，６２ｂ）は前記第２方向の他側（−Ｙ）に延びていることを特徴とする、収納装置。
【請求項３】
前記第２収納体（４０）の前記第１箇所（４１）より前記第２方向の他側（−Ｙ）に位置する第３箇所（４３）に設けられた第３軸体（４３ａ）と、
前記第１収納体（１０）の前記第２箇所（１２）より前記第２方向の一側（＋Ｙ）に位置する第４箇所（１４）に設けられた第６軸体（１４ａ）と、をさらに備え、
前記第１支持部材（６１）は、前記第３軸体（４３ａ）を前記第２方向（Ｙ）に移動可能に係止する前記第２方向の他側（−Ｙ）に延びる第３係止部（６１ｃ）を有し、
前記第２支持部材（６２）は、前記第６軸体（１４ａ）をそれぞれ前記第２方向に移動可能に係止する前記第２方向の一側（＋Ｙ）に延びる第６係止部（６２ｃ）を有することを特徴とする、請求項２に記載の収納装置。
【請求項４】
前記収納空間は、上面視において矩形状に拡がり、
前記第１及び第２箇所は、前記矩形の互いに対向する一対の頂点近傍にそれぞれ配されることを特徴とする、請求項１〜３のいずれか一項に記載の収納装置。
【請求項５】
前記複数の収納体のうちの互いに隣接する２つの収納体のそれぞれの前記第１方向の一側（＋Ｘ）の前記第１箇所に対して前記第２方向の他側（−Ｙ）に位置する第３箇所（１３，２３，３３，４３）を前記第２方向に平行な回転軸に対して回動可能に連結する第３連結軸（５３）をさらに備えることを特徴とする、請求項１〜４のいずれか一項に記載の収納装置。
【請求項６】
前記複数の収納体のうちの互いに隣接する２つの収納体のそれぞれの前記第２方向の他側（−Ｙ）の前記第２箇所（１２，２２，３２，４２）に対して前記第２方向の一側（＋Ｙ）に位置する第４箇所（１４，２４，３４，４４）を前記第２方向に平行な回転軸に対して回動可能に連結する第４連結軸（５４）をさらに備えることを特徴とする、請求項１〜５のいずれか一項に記載の収納装置。
【請求項７】
前記第２係止部（６１ｂ）は、前記第１方向の他側（−Ｙ）に向かって下る傾斜を有することを特徴とする、請求項１〜６のいずれか一項に記載の収納装置。
【請求項８】
前記第４係止部（６２ａ）は、前記第１方向の一側（＋Ｙ）に向かって下る傾斜を有することを特徴とする、請求項１〜７のいずれか一項に記載の収納装置。
【手続補正２】
【補正対象書類名】明細書
【補正対象項目名】全文
【補正方法】変更
【補正の内容】
【発明の詳細な説明】
【技術分野】
【０００１】
本発明は、収納装置に関する。
【背景技術】
【０００２】
住宅内の収納スペースを確保するために、天井下のスペースを利用することが考えられている。例えば特許文献１には、天井開閉板上に吊りベルトで吊持された収納庫を設け、吊りベルトを巻き出す及び巻き戻すことで天井開閉板を開閉し、天井開閉板が開いたときに収納庫（収納体）が上下移動する可動式天井収納装置が開示されている。しかし、水平面に対する収納庫の角度が変動するため、内部の被収納物が移動してしまう可能性がある。また、特許文献２には、天井裏のスペースにケースを設置し、電動の駆動装置により物入箱（収納体）をその向きを維持して天井裏のケースの中に引き込む天井物入箱が開示されている。しかし、物入箱が１つのみであるため、収納容量が小さい。
【先行技術文献】
【特許文献】
【０００３】
【特許文献１】特開平５−１５６７９８号公報
【特許文献２】特開２００７−３０９０６５号公報
【発明の概要】
【発明が解決しようとする課題】
【０００４】
本発明は、複数の収納体を連動して同一方向に回転することができる収納装置を提供することを課題とする。
【課題を解決するための手段】
【０００５】
本発明の収納装置は、上面視において互いに交差する第１及び第２方向（Ｘ及びＹ）に拡がる収納空間を有する複数の収納体（１０，２０，３０，４０）と、複数の収納体のそれぞれの第１方向（Ｘ）の一側（＋Ｘ）の第２方向（Ｙ）の一側（＋Ｙ）に位置する第１箇所（１１，２１，３１，４１）を第２方向に平行な回転軸に対して回動可能に連結する第１連結軸（５１）と、複数の収納体のそれぞれの第１方向の他側（−Ｘ）の第２方向の他側（−Ｙ）に位置する第２箇所（１２，２２，３２，４２）を第２方向に平行な回転軸に対して回動可能に連結する第２連結軸（５２）と、を備えることを特徴とする。
【０００６】
これによれば、第１及び第２連結軸（５１，５２）により連結された複数の収納体（１０，２０，３０，４０）において、第１連結軸（５１）に対してそれぞれの第１箇所（１１，２１，３１，４１）を回動するとともに、第２連結軸（５２）に対してそれぞれの第２箇所（１２，２２，３２，４２）を回動することで、複数の収納体（１０，２０，３０，４０）を第２方向（Ｙ）に並ぶ状態から第１及び第２方向のそれぞれに直交する方向（Ｚ）に並ぶ状態にそれぞれを連動して回転することができる。
【０００７】
本発明の収納装置は、収納空間は、上面視において矩形状に拡がり、第１及び第２箇所は、矩形の互いに対向する一対の頂点近傍にそれぞれ配されることを特徴とする。
【０００８】
これによれば、第１及び第２連結具により複数の収納体を安定に支持することができる。
【０００９】
本発明の収納装置は、複数の収納体のうちの互いに隣接する２つの収納体のそれぞれの第１方向の一側（＋Ｘ）の第１箇所に対して第２方向の他側（−Ｙ）に位置する第３箇所（１３，２３，３３，４３）を第２方向に平行な回転軸に対して回動可能に連結する第３連結軸（５３）をさらに備えることを特徴とする。
【００１０】
これによれば、第３連結軸（５３）により、第１及び第２連結軸（５１，５２）により連動して回転する複数の収納体のうちの互いに隣接する２つの収納体を安定に支持することができる。
【００１１】
本発明の収納装置は、複数の収納体のうちの互いに隣接する２つの収納体のそれぞれの第２方向の他側（−Ｙ）の第２箇所（１２，２２，３２，４２）に対して第２方向の一側（＋Ｙ）に位置する第４箇所（１４，２４，３４，４４）を第２方向に平行な回転軸に対して回動可能に連結する第４連結軸（５４）をさらに備えることを特徴とする。
【００１２】
これによれば、第４連結軸（５４）により、第１及び第２連結軸（５１，５２）により連動して回転する複数の収納体のうちの互いに隣接する２つの収納体を安定に支持することができる。
【００１３】
本発明の収納装置は、複数の収納体のうちの第１連結軸（５１）の一端側（＋Ｙ）に連結された第１収納体（１０）の第１箇所（１１）に設けられた第１軸体（１１ａ）と、複数の収納体のうちの第１連結軸（５１）の他端側（−Ｙ）に連結された第２収納体（４０）の第１箇所（４１）に設けられた第２軸体（４１ａ）と、第２収納体（４０）の第１箇所（４１）より第２方向の他側（−Ｙ）に位置する第３箇所（４３）に設けられた第３軸体（４３ａ）と、第１収納体（１０）の第２箇所（１２）に設けられた第４軸体（１２ａ）と、第２収納体（４０）の第２箇所（４２）に設けられた第５軸体（４２ａ）と、第１収納体（１０）の第２箇所（１２）より第２方向の一側（＋Ｙ）に位置する第４箇所（１４）に設けられた第６軸体（１４ａ）と、第１〜３軸体（１１ａ，４１ａ，４３ａ）をそれぞれ第２方向（Ｙ）に移動可能に係止する第１〜３係止部（６１ａ，６１ｂ，６１ｃ）を有する第１支持部材（６１）と、第４〜６軸体（１２ａ，４２ａ，１４ａ）をそれぞれ第２方向に移動可能に係止する第４〜６係止部（６２ａ，６２ｂ，６２ｃ）を有する第２支持部材（６２）と、をさらに備え、第１、第４、第６係止部（６１ａ，６２ａ，６２ｃ）は第２方向の一側（＋Ｙ）に延び、第２、第３、第５係止部（６１ｂ，６１ｃ，６２ｂ）は第２方向の他側（−Ｙ）に延びていることを特徴とする。
【００１４】
これによれば、第１収納部（１０）を第２方向の一側（＋Ｙ）に移動することで、第１支持部材（６１）の第１係止部（６１ａ）及び第２支持部材（６２）の第４及び第６係止部（６２ａ，６２ｃ）からそれぞれ第１、第４、及び第６軸体（１１ａ，１２ａ，１４ａ）を外すことで第１及び第２支持部材（６１，６２）から第１収納体（１０）を外し、第１及び第２支持部材（６１，６２）に支持されている第２収納体（４０）に対して第１収納体（１０）を含むその他の収納体（１０，２０，３０）を回転することができ、第２収納部（４０）を第２方向の他側（−Ｙ）に移動することで、第１支持部材（６１）の第２及び第３係止部（６１ｂ，６１ｃ）及び第２支持部材（６２）の第５係止部（６２ｂ）からそれぞれ第２、第３、及び第５軸体（４１ａ，４３ａ，４２ａ）を外すことで第１及び第２支持部材（６１，６２）から第２収納体（４０）を外し、第１及び第２支持部材（６１，６２）に支持されている第１収納体（１０）に対して第２収納体（４０）を含むその他の収納体（２０，３０，４０）を回転することができる。
【００１５】
本発明の収納装置は、複数の収納体のうちの第１連結軸（５１）の一端側（＋Ｙ）に連結された第１収納体（１０）の第１箇所（１１）又は第１箇所（１１）より第２方向の一側（＋Ｙ）に位置する箇所に設けられた第１軸体（１１ａ）と、複数の収納体のうちの第１連結軸（５１）の他端側（−Ｙ）に連結された第２収納体（４０）の第１箇所（４１）又は第１箇所（４１）より第２方向の他側（−Ｙ）に位置する箇所に設けられた第２軸体（４１ａ）と、第１収納体（１０）の第２箇所（１２）又は第２箇所（１２）より第２方向の他側（−Ｙ）に位置する箇所に設けられた第４軸体（１２ａ）と、第２収納体（４０）の第２箇所（４２）又は第２箇所（４２）より第２方向の他側（−Ｙ）に位置する箇所に設けられた第５軸体（４２ａ）と、第１及び第２軸体（１１ａ，４１ａ）をそれぞれ第２方向（Ｙ）に移動可能に係止する第１及び第２係止部（６１ａ，６１ｂ）を有する第１支持部材（６１）と、第４及び第５軸体（１２ａ，４２ａ）をそれぞれ第２方向に移動可能に係止する第４及び第５係止部（６２ａ，６２ｂ）を有する第２支持部材（６２）と、をさらに備え、第１及び第４係止部（６１ａ，６２ａ）は第２方向の一側（＋Ｙ）に延び、第２及び第５係止部（６１ｂ，６２ｂ）は第２方向の他側（−Ｙ）に延びていることを特徴とする。
【００１６】
これによれば、第１収納部（１０）を第２方向の一側（＋Ｙ）に移動することで、第１支持部材（６１）の第１係止部（６１ａ）及び第２支持部材（６２）の第４係止部（６２ａ）からそれぞれ第１及び第４軸体（１１ａ，１２ａ）を外すことで第１及び第２支持部材（６１，６２）から第１収納体（１０）を外し、第１及び第２支持部材（６１，６２）に支持されている第２収納体（４０）に対して第１収納体（１０）を含むその他の収納体（１０，２０，３０）を回転することができ、第２収納部（４０）を第２方向の他側（−Ｙ）に移動することで、第１支持部材（６１）の第２係止部（６１ｂ）及び第２支持部材（６２）の第５係止部（６２ｂ）からそれぞれ第２及び第５軸体（４１ａ，４２ａ）を外すことで第１及び第２支持部材（６１，６２）から第２収納体（４０）を外し、第１及び第２支持部材（６１，６２）に支持されている第１収納体（１０）に対して第２収納体（４０）を含むその他の収納体（２０，３０，４０）を回転することができる。
【００１７】
本発明の収納装置は、第２収納体（４０）の第１箇所（４１）より第２方向の他側（−Ｙ）に位置する第３箇所（４３）に設けられた第３軸体（４３ａ）と、第１収納体（１０）の第２箇所（１２）より第２方向の一側（＋Ｙ）に位置する第４箇所（１４）に設けられた第６軸体（１４ａ）と、をさらに備え、第１支持部材（６１）は、第３軸体（４３ａ）を第２方向（Ｙ）に移動可能に係止する第２方向の他側（−Ｙ）に延びる第３係止部（６１ｃ）を有し、第２支持部材（６２）は、第６軸体（１４ａ）をそれぞれ第２方向に移動可能に係止する第２方向の一側（＋Ｙ）に延びる第６係止部（６２ｃ）を有することを特徴とする。
【００１８】
これによれば、第１支持部材（６１）の第１係止部（６１ａ）及び第２支持部材（６２）の第４及び第６係止部（６２ａ，６２ｃ）により第１、第４、及び第６軸体（１１ａ，１２ａ，１４ａ）を係止することで第１及び第２支持部材（６１，６２）により第１収納体（１０）を安定に支持することができ、第１支持部材（６１）の第２及び第３係止部（６１ｂ，６１ｃ）及び第２支持部材（６２）の第５係止部（６２ｂ）により第２、第３、及び第５軸体（４１ａ，４３ａ，４２ａ）を係止することで第１及び第２支持部材（６１，６２）により第２収納体（４０）を安定に支持することができる。
【００１９】
本発明の収納装置は、第２係止部（６１ｂ）は、第１方向の他側（−Ｙ）に向かって下る傾斜を有することを特徴とする。
【００２０】
これによれば、第１収納体（１０）が第１方向の一側（＋Ｙ）に引かれた際に、ともに第２収納体（４０）が第１方向の一側（＋Ｙ）に引かれて第２軸体（４１ａ）を係止する第２係止部（６１ｂ）の傾斜により第２収納体（４０）の一側（＋Ｙ）が上方に傾く。それにより、第２収納体（４０）が第１及び第２支持部材（６１，６２）に支持されて、第２収納体（４０）に対して第１収納体（１０）を含むその他の収納体（１０，２０，３０）が一側（＋Ｙ）の下方に向かって回転した際に、それぞれの収納体の一側（＋Ｙ）が下方に傾くのを防止できる。
【００２１】
本発明の収納装置は、第３係止部（６２ａ）は、第１方向の一側（＋Ｙ）に向かって下る傾斜を有することを特徴とする。
【００２２】
これによれば、第２収納体（４０）が第１方向の他側（−Ｙ）に引かれた際に、ともに第１収納体（１０）が第１方向の他側（−Ｙ）に引かれて第３軸体（１２ａ）を係止する第３係止部（６２ａ）の傾斜により第１収納体（１０）の他側（−Ｙ）が上方に傾く。それにより、第１収納体（１０）が第１及び第２支持部材（６１，６２）に支持されて、第１収納体（１０）に対して第２収納体（４０）を含むその他の収納体（２０，３０，４０）が他側（−Ｙ）の下方に向かって回転した際に、それぞれの収納体の他側（−Ｙ）が下方に傾くのを防止できる。
【発明の効果】
【００２３】
本発明によれば、複数の収納体を連動して同一方向に回転することができる収納装置を提供することが可能となる。
【図面の簡単な説明】
【００２４】
【図１】図１は、本実施形態に係る収納装置の構成を示す斜視図である。
【図２】図２は、本実施形態に係る収納装置の構成を示す分解斜視図である。
【図３】図３は、収納庫が支持部材に支持された収納状態を示す。
【図４】図４は、支持部材の係止部と収納箱の軸体の位置関係を示す図である。
【図５】図５は、一側の収納箱を支持部材から外した状態を示す図である。
【図６】図６は、一側の収納箱を支持部材から外した状態を示す斜視図である。
【図７】図７は、一側の収納箱を降ろした状態を示す斜視図である。
【図８】図８は、他側の収納箱を支持部材から外した状態を示す図である。
【図９】図９は、他側の収納箱を支持部材から外した状態を示す図である。
【図１０】図１０は、他側の収納箱を降ろした状態を示す図である。
【図１１】図１１は、変形例に係る収納装置の構成を示す斜視図である。
【発明を実施するための形態】
【００２５】
以下、本発明の一実施形態について説明する。
【００２６】
図１及び図２は、それぞれ、本実施形態に係る収納装置１００の全体構成及び構成各部を示す。収納装置１００は、複数の収納体を連動して回転することができる装置であり、複数の収納体１０，２０，３０，４０、連結軸５１，５２、軸体７１〜７８、及び支持部材６１，６２を備える。
【００２７】
複数の収納体１０，２０，３０，４０は、一例として４つの収納体を含み、荷物等を収納することのできる収納空間を有する箱体である。収納空間は、上面視において互いに交差するＸ軸方向及びＹ軸方向に拡がる。収納体１０，２０，３０，４０の＋Ｘ側面の＋Ｙ側に位置する第１箇所１１，２１，３１，４１にそれぞれ円形状の開口が形成され、＋Ｙ側面の内側にそれらの開口に内部空間を連ねる角筒１５，２５，３５，４５が設けられている。同様に、収納体１０，２０，３０，４０の−Ｘ側面の−Ｙ側に位置する第２箇所１２，２２，３２，４２にそれぞれ円形状の開口が形成され、−Ｙ側面の内側にそれらの開口に内部空間を連ねる角筒（不図示）が設けられている。さらに、収納体１０の−Ｘ側面の＋Ｙ側に位置する第４箇所１４に角筒１５の内部に連なる円形状の開口が形成され、収納体４０の＋Ｘ側面の−Ｙ側に位置する第３箇所４３に角筒（不図示）の内部に連なる円形状の開口が形成されている。
【００２８】
本実施形態では、収納空間は、上面視において矩形状に拡がり、第１箇所１１，２１，３１，４１及び第２箇所１２，２２，３２，４２は矩形の互いに対向する一対の頂点近傍にそれぞれ配されることとする。それにより、後述する連結軸５１，５２により複数の収納体１０，２０，３０，４０を安定に支持することができる。なお、収納空間の上面視形状は矩形状に限られるものではなく、円形、楕円形、多角形等、Ｘ軸方向の一側及び他側が対称な形状であれば任意の形状であってよい。
【００２９】
連結軸５１，５２は、後述する軸体７１〜７８により、それぞれ収納体１０，２０，３０，４０の第１箇所１１，２１，３１，４１及び第２箇所１２，２２，３２，４２をＹ軸方向に平行な回転軸に対して回動可能に連結する部材であり、一軸方向を長手とする矩形板状の部材である。
【００３０】
軸体７１〜７８は、連結軸５１，５２に接続され、収納体１０，２０，３０，４０を連結軸５１，５２に回動可能に固定する棒状部材である。
【００３１】
軸体７１は、＋Ｘ端を連結軸５１の＋Ｚ端近傍に貫通して固定される。ここで、連結軸５１から＋Ｘ側に突出する軸体７１の＋Ｘ端を軸体１１ａとする。軸体７１は、−Ｘ端を順に座金７１ａ、収納体１０の＋Ｘ側面の第１箇所１１の開口、及び角筒１５の内部を通して、収納体１０の−Ｘ側面の第４箇所１４の開口を介して−Ｘ側に突出する。ここで、−Ｘ側面の−Ｘ側に突出する軸体７１の−Ｘ端を軸体１４ａとする。それにより、収納体１０はその第１箇所１１にて連結軸５１の＋Ｚ端側に連結され、軸体１１ａは収納体１０の第１箇所１１に設けられ、軸体１４ａは収納体１０の第２箇所１２より＋Ｙ側に位置する第４箇所１４に設けられたこととなる。
【００３２】
軸体７２は、−Ｘ端を連結軸５２の＋Ｚ端近傍に貫通して固定される。ここで、連結軸５２から−Ｘ側に突出する軸体７２の−Ｘ端を軸体１２ａとする。軸体７２は、＋Ｘ端を順に座金７２ａ及び収納体１０の−Ｘ側面の第２箇所１２の開口を通して角筒（不図示）内に挿入される。それにより、収納体１０はその第２箇所１２にて連結軸５２の＋Ｚ端側に連結され、軸体１２ａは収納体１０の第２箇所１２に設けられたこととなる。
【００３３】
軸体７３，７５は、それぞれ、＋Ｘ端を連結軸５１の中央から＋Ｚ側及び−Ｚ側に固定される。軸体７３，７５は、それぞれ、−Ｘ端を順に座金７３ａ，７５ａ、収納体２０，３０の＋Ｘ側面の第１箇所２１，３１の開口を通して、角筒２５，３５内に挿入される。それにより、収納体２０，３０はそれらの第１箇所２１，３１にて連結軸５１に連結される。
【００３４】
軸体７４，７６は、それぞれ、−Ｘ端を連結軸５２の中央から＋Ｚ側及び−Ｚ側に固定される。軸体７４，７６は、それぞれ、＋Ｘ端を順に座金７４ａ，７６ａ及び収納体２０，３０の−Ｘ側面の第２箇所２２，３２の開口を通して角筒（不図示）内に挿入される。それにより、収納体２０，３０はそれらの第２箇所２２，３２にて連結軸５２に連結される。
【００３５】
軸体７７は、＋Ｘ端を連結軸５１の−Ｚ端近傍に貫通して固定される。ここで、連結軸５１から＋Ｘ側に突出する軸体７７の＋Ｘ端を軸体４１ａとする。軸体７１は、−Ｘ端を順に座金７７ａ及び収納体４０の＋Ｘ側面の第１箇所４１の開口を通して、角筒４５内に挿入される。それにより、収納体４０はその第１箇所４１にて連結軸５１の−Ｚ端側に連結され、軸体４１ａは収納体４０の第１箇所４１に設けられたこととなる。
【００３６】
軸体７８は、−Ｘ端を連結軸５２の−Ｚ端近傍に貫通して固定される。ここで、連結軸５２から−Ｘ側に突出する軸体７８の−Ｘ端を軸体４２ａとする。軸体７８は、＋Ｘ端を順に座金７８ａ、収納体４０の−Ｘ側面の第２箇所４２の開口、及び角筒（不図示）の内部を通して、収納体４０の＋Ｘ側面の第３箇所４３の開口を介して＋Ｘ側に突出する。ここで、＋Ｘ側面の＋Ｘ側に突出する軸体７８の＋Ｘ端を軸体４３ａとする。それにより、収納体４０はその第２箇所４２にて連結軸５２の−Ｚ端側に連結され、軸体４２ａは収納体４０の第２箇所４２に設けられたこととなり、軸体４３ａは収納体４０の第１箇所４１より−Ｙ側に位置する第３箇所４３に設けられたこととなる。
【００３７】
支持部材６１，６２は、例えば屋内の対向する壁面上部の間に架設されて（図４参照）、複数の収納体１０，２０，３０，４０を支持する棒状部材である。図３に示すように、収納状態において収納体１０，２０，３０，４０は支持部材６１，６２により天井下に支持される。
【００３８】
図４に、図３の収納状態において支持部材６１，６２の係止部６１ａ，６１ｂ，６１ｃ，６２ａ，６２ｂ，６２ｃと収納体１０，２０，３０，４０の軸体１１ａ，１２ａ，１４ａ，４１ａ，４２ａ，４３ａの位置関係を示す。
【００３９】
図４（Ｂ）に示すように、支持部材６１は、軸体１１ａ，４１ａ，４３ａをそれぞれＹ軸方向に移動可能に係止する係止部６１ａ，６１ｂ，６１ｃを有する。係止部６１ａは、支持部材６１の＋Ｙ端部近傍の下端から＋Ｙ方向に延びる。係止部６１ｂ，６１ｃは、それぞれ支持部材６１の中央から−Ｙ側寄り及び−Ｙ端部近傍の下端から−Ｙ方向に延びる。なお、係止部６１ａ，６１ｃの先端には、軸体１１ａ，４３ａを係止する＋Ｚ方向に突出する爪片が形成されている。係止部６１ｂ，６１ｃの離間距離は軸体４１ａ，４３ａの離間距離に等しく、係止部６１ａの先端と係止部６１ｃの先端との離間距離は軸体１１ａ，４３ａの離間距離より長い、ただし係止部６１ａの先端と係止部６１ｃの基端の左端との離間距離及び係止部６１ａの基端の右端と係止部６１ｃの先端との離間距離は軸体１１ａ，４３ａの離間距離より短い。
【００４０】
図４（Ａ）に示すように、支持部材６２は、軸体１２ａ，４２ａ，１４ａをそれぞれＹ軸方向に移動可能に係止する係止部６２ａ，６２ｂ，６２ｃを有する。係止部６２ａ，６２ｃは、それぞれ支持部材６２の中央から＋Ｙ側寄り及び＋Ｙ端部近傍の下端から＋Ｙ方向に延びる。係止部６２ｂは、支持部材６２の−Ｙ端部近傍から−Ｙ方向に延びる。なお、係止部６２ｂ，６２ｃの先端には、軸体４２ａ，１４ａを係止する＋Ｚ方向に突出する爪片が形成されている。係止部６２ａ，６２ｃの離間距離は軸体１２ａ，１４ａの離間距離に等しく、係止部６２ｂの先端と係止部６２ｃの先端との離間距離は軸体１４ａ，４２ａの離間距離より長い、ただし係止部６２ｂの先端と係止部６２ｃの基端の右端との離間距離及び係止部６２ｂの基端の左端と係止部６２ｃの先端との離間距離は軸体１４ａ，４２ａの離間距離より短い。
【００４１】
上述の支持部材６１，６２の係止部６１ａ，６１ｂ，６１ｃ，６２ａ，６２ｂ，６２ｃと収納体１０，２０，３０，４０の軸体１１ａ，１２ａ，１４ａ，４１ａ，４２ａ，４３ａの位置関係により、図５（Ａ）及び（Ｂ）並びに図６に示すように、収納体１０を＋Ｙ方向に移動することで、支持部材６１の係止部６１ａ及び支持部材６２の係止部６２ａ，６２ｃからそれぞれ軸体１１ａ，１２ａ，１４ａを外して支持部材６１，６２から収納体１０を外し、支持部材６１，６２に支持されている収納体４０に対して収納体１０を含むその他の収納体１０，２０，３０を白抜き矢印の方向に回転することができる。そして、図７に示すように、収納体１０を下方に降ろして、収納体１０，２０，３０，４０を高さ方向に並べることができる。このとき、支持部材６１の係止部６１ｂ，６１ｃ及び支持部材６２の係止部６２ｂにより軸体４１ａ，４３ａ，４２ａを係止することで支持部材６１，６２により収納体４０及び連結軸５１，５２により収納体４０に連結する収納体１０，２０，３０を安定に支持することができる。
【００４２】
なお、支持部材６１の係止部６１ｂは、−Ｙ方向に向かって下る傾斜を有する。それにより、収納体１０が＋Ｙ方向に引かれた際に、ともに収納体４０が＋Ｙ方向に引かれて軸体４１ａを係止する係止部６１ｂの傾斜により収納体４０の＋Ｙ側が上方に傾く。従って、収納体４０が支持部材６１，６２に支持されて、収納体４０に対して収納体１０を含むその他の収納体１０，２０，３０が＋Ｙ側の下方に向かって回転した際に、それぞれの収納体の＋Ｙ側が下方に傾くのを防止することができる。
【００４３】
また、図８（Ａ）及び（Ｂ）並びに図９に示すように、収納体４０を−Ｙ方向に移動することで、支持部材６１の係止部６１ｂ，６１ｃ及び支持部材６２の係止部６２ｂからそれぞれ軸体４１ａ，４３ａ，４２ａを外して支持部材６１，６２から収納体４０を外し、支持部材６１，６２に支持されている収納体１０に対して収納体４０を含むその他の収納体２０，３０，４０を白抜き矢印の方向に回転することができる。そして、図１０に示すように、収納体４０を下方に降ろして、収納体１０，２０，３０，４０を高さ方向に並べることができる。このとき、支持部材６１の係止部６１ａ及び支持部材６２の係止部６２ａ，６２ｃにより軸体１１ａ，１２ａ，１４ａを係止することで支持部材６１，６２により収納体１０及び連結軸５１，５２により収納体１０に連結する収納体２０，３０，４０を安定に支持することができる。
【００４４】
なお、支持部材６２の係止部６２ａは、＋Ｙ方向に向かって下る傾斜を有する。それにより、収納体４０が−Ｙ方向に引かれた際に、ともに収納体１０が−Ｙ方向に引かれて軸体１２ａを係止する係止部６２ａの傾斜により収納体１０の−Ｙ側が上方に傾く。従って、収納体１０が支持部材６１，６２に支持されて、収納体１０に対して収納体４０を含むその他の収納体２０，３０，４０が−Ｙ側の下方に向かって回転した際に、それぞれの収納体の−Ｙ側が下方に傾くのを防止することができる。
【００４５】
なお、収納体１０，２０，３０，４０を天井下に収納する場合には、上述の手順を逆順で行えばよい。
【００４６】
以上詳細に説明したように、本実施形態に係る収納装置１００は、上面視において互いに交差するＸ軸及びＹ軸方向に拡がる収納空間を有する複数の収納体１０，２０，３０，４０、複数の収納体１０，２０，３０，４０のそれぞれの＋Ｘ方向の＋Ｙ側に位置する第１箇所１１，２１，３１，４１をＹ軸方向に平行な回転軸に対して回動可能に連結する連結軸５１、複数の収納体１０，２０，３０，４０のそれぞれの−Ｘ方向の−Ｙ側に位置する第２箇所１２，２２，３２，４２をＹ軸方向に平行な回転軸に対して回動可能に連結する連結軸５２を備える。連結軸５１，５２により連結された複数の収納体１０，２０，３０，４０において、連結軸５１に対してそれぞれの第１箇所１１，２１，３１，４１を回動するとともに、連結軸５２に対してそれぞれの第２箇所１２，２２，３２，４２を回動することで、複数の収納体１０，２０，３０，４０をＹ軸方向に並ぶ状態からＺ軸方向に並ぶ状態にそれぞれを連動して回転することができる。
【００４７】
なお、本実施形態に係る収納装置１００では、２つの連結軸５１，５２を用いて複数の収納体１０，２０，３０，４０を連結することとしたが、さらに１以上の連結軸を用いて複数の収納体１０，２０，３０，４０を連結してもよい。
【００４８】
図１１に、変形例に係る収納装置２００の構成を示す。収納装置２００は、複数の収納体１１０，１２０，１３０，１４０、軸体１１ａ，１２ａ，１４ａ，４１ａ，４２ａ，４３ａ、連結軸５１〜５４、及び支持部材６１，６２を備える。これらのうち、連結軸５１，５２及び支持部材６１，６２は先述の収納装置１００におけるそれらと同様に構成されている。
【００４９】
複数の収納体１１０，１２０，１３０，１４０は、先述の収納装置１００における収納体１０，２０，３０，４０に固定片１７，２７，３７，２８，３８，４８が設けられたものである。ただし、角筒１５，２５，３５，４５を除く。固定片１７，２７，３７，２８，３８，４８は上面視においてＬ字状に屈曲する板片である。固定片１７，２７，３７は、それぞれ、収納体１１０，１２０，１３０の−Ｘ側面と平行に−Ｘ及び＋Ｙ角部に固定されている。固定片１７，２７，３７の先端にそれぞれ第２箇所１２，２２，３２が位置する。固定片２８，３８，４８は、それぞれ、収納体１２０，１３０，１４０の＋Ｘ側面と平行に＋Ｘ及び−Ｙ角部に固定されている。固定片２８，３８，４８の先端にそれぞれ第１箇所２１，３１，４１が位置する。
【００５０】
軸体１１ａ，１２ａ，１４ａ，４１ａ，４２ａ，４３ａは、支持部材６１，６２に収納体１１０及び１４０を支持するための部材である。軸体１１ａ，１２ａ，１４ａは、それぞれ、収納体１１０の第１箇所１１、第２箇所１２、第４箇所１４に固定されている。ここで、軸体１１ａ，１２ａは、それぞれ、収納体１１０の＋Ｘ側面及び固定片１７に固定されている。軸体１４ａは収納体１１０の−Ｘ側面に固定片１７を介して−Ｘ側に先端を突出して固定されている。軸体４１ａ，４２ａ，４３ａは、それぞれ、収納体１４０の第１箇所４１、第２箇所４２、第３箇所４３に固定されている。ここで、軸体４１ａ，４２ａは、それぞれ、固定片４８及び収納体１４０の−Ｘ側面に固定されている。軸体４３ａは収納体１４０の＋Ｘ側面に固定片４８を介して＋Ｘ側に先端を突出して固定されている。
【００５１】
連結軸５１，５２は、不図示の軸体とともにそれぞれ軸体１１ａ，４１ａ及び１２ａ，４２ａにより、それぞれ収納体１０，２０，３０，４０の第１箇所１１，２１，３１，４１及び第２箇所１２，２２，３２，４２をＹ軸方向に平行な回転軸に対して回動可能に連結する。
【００５２】
連結軸５３，５４は、収納体１１０，１２０，１３０，１４０のうちの互いに隣接する２つの収納体のそれぞれの第３箇所１３，２３，３３，４３及び第４箇所１４，２４，３４，４４をＹ軸方向に平行な回転軸に対して回動可能に連結する部材であり、先端に段部が設けられた一軸方向を長手とする矩形板状の部材である。それらの先端には、収納体１１０，１２０，１３０の第３箇所１３，２３，３３及び収納体１２０，１３０，１４０の第４箇所２４，３４，４４に回動可能に連結するための軸体（不図示）が固定されている。それらの基端には、収納体１１０，１２０，１３０，１４０の第３箇所１３，２３，３３，４３及び収納体１１０，１２０，１３０，１４０の第４箇所１４，２４，３４，４４に設けられた軸体（軸体１４ａ，４３ａ及び不図示の軸体）を通すための開口が形成されている。
【００５３】
１つの連結軸５３は、基端の開口（不図示）を収納体１２０の第３箇所２３に設けられた軸体（不図示）に通して、＋Ｘ側面と固定片２８の間で回動可能に固定され、先端の段部に固定された軸体（不図示）を収納体１１０の第３箇所１３に回動可能に固定されている。２つの連結軸５３は、それぞれ、基端の開口（不図示）を収納体１３０，１４０の第３箇所３３，４３に設けられた軸体（不図示）に通して、＋Ｘ側面と固定片３８，４８の間で回動可能に固定され、先端の段部に固定された軸体（不図示）を収納体１２０，１３０の固定片２８，３８の第３箇所２３，３３に回動可能に固定されている。
【００５４】
１つの連結軸５４は、基端の開口（不図示）を収納体１３０の第４箇所３４に設けられた軸体（不図示）に通して、−Ｘ側面と固定片３７の間で回動可能に固定され、先端の段部に固定された軸体（不図示）を収納体１４０の第４箇所４４に回動可能に固定されている。２つの連結軸５４は、それぞれ、基端の開口（不図示）を収納体１１０，１２０の第４箇所１４，２４に設けられた軸体（不図示）に通して、−Ｘ側面と固定片１７，２７の間で回動可能に固定され、先端の段部に固定された軸体（不図示）を収納体１２０，１３０の固定片２７，３７の第４箇所２４，３４に回動可能に固定されている。
【００５５】
上述の構成における連結軸５３，５４により、第１及び第２連結軸５１，５２により連動して回転する複数の収納体１１０，１２０，１３０，１４０のうちの互いに隣接する２つの収納体をそれぞれ連結して、収納体１１０，１２０，１３０，１４０をさらに安定に支持することができる。
【００５６】
なお、本実施形態に係る収納装置１００では、複数の収納体１０，２０，３０，４０の第１箇所１１，２１，３１，４１，及び第２１箇所１２，２２，３２，４２はそれぞれ＋Ｘ側面の＋Ｙ側及び−Ｘ側面の−Ｙ側に位置することとしたが、これに限らず、＋Ｘ側面の−Ｙ側及び−Ｘ側面の＋Ｙ側に位置することとしてもよい。これとともに、連結軸５１は、複数の収納体１０，２０，３０，４０のそれぞれの＋Ｘ側面の−Ｙ側に位置する箇所を回動可能に連結し、連結軸５２は、複数の収納体１０，２０，３０，４０のそれぞれの−Ｘ側面の＋Ｙ側に位置する箇所を回動可能に連結することとしてもよい。
【産業上の利用可能性】
【００５７】
複数の収納体を連動して同一方向に回転することができる収納装置である。多くの家庭及び建設会社による利用が考えられる。
【符号の説明】
【００５８】
１０    収納体
１１    第１箇所
１１ａ  軸体
１２    第２箇所
１２ａ  軸体
１３    第３箇所
１４    第４箇所
１４ａ  軸体
１５    角筒
１７    固定片
２０    収納体
２１    第１箇所
２２    第２箇所
２３    第３箇所
２４    第４箇所
２５    角筒
２７    固定片
２８    固定片
３０    収納体
３１    第１箇所
３２    第２箇所
３３    第３箇所
３４    第４箇所
３５    角筒
３７    固定片
３８    固定片
４０    収納体
４１    第１箇所
４１ａ  軸体
４２    第２箇所
４２ａ  軸体
４３    第３箇所
４３ａ  軸体
４４    第４箇所
４５    角筒
４８    固定片
５１    連結軸
５２    連結軸
５３    連結軸
５４    連結軸
６１    支持部材
６１ａ  係止部
６１ｂ  係止部
６１ｃ  係止部
６２    支持部材
６２ａ  係止部
６２ｂ  係止部
６２ｃ  係止部
７１    軸体
７１ａ  座金
７２    軸体
７２ａ  座金
７３    軸体
７３ａ  座金
７４    軸体
７４ａ  座金
７５    軸体
７５ａ  座金
７６    軸体
７６ａ  座金
７７    軸体
７７ａ  座金
７８    軸体
７８ａ  座金
１００  収納装置
１１０  収納体
１２０  収納体
１３０  収納体
１４０  収納体
２００  収納装置